(57)【要約】【課題】本発明は、荷重センサによって荷重を表示器に表示し、ディジタルスケールによってストロークを表示部に表示して高精度な計測を行うことを目的とする。【解決手段】本発明による伸縮型部品の試験装置は、基台（１）上に移動自在に設けられ荷重センサ（１１）を有する荷重位置決め体（１２）と、回転ハンドル手段（６）により回転するスクリュー軸（７）に設けられディジタルスケール（１３）を有する荷重付加体（１４）とを有し、荷重を荷重表示器（３０）で表示し、ストロークを表示部（１３ａ）で表示する構成である。【選択図】　　　　図１
2004028966.tif 000002
【特許請求の範囲】
【請求項１】
基台（１）上に移動可能に設けられ荷重センサ（１１）を有する荷重位置決め体（１２）と、前記基台（１）上にスクリュー軸（７）によって移動可能に設けられディジタルスケール（１３）を有する荷重付加体（１４）と、前記基台（１）上に設けられ前記荷重センサ（１１）からの荷重データを表示する荷重表示器（３０）と、前記基台（１）上に設けられ前記スクリュー軸（７）を回転させるための回転ハンドル手段（６）と、前記回転ハンドル手段（６）に設けられ前記スクリュー軸（７）に連動する微送りハンドル（６ｂ）と、前記微送りハンドル（６ｂ）に連動し前記微送りハンドル（６ｂ）よりも大径の粗送りハンドル（６ａ）とを備え、前記荷重位置決め体（１２）と荷重付加体（１４）との間に伸縮型部品（３）を設置し、前記回転ハンドル手段（６）により前記スクリュー軸（７）を回転させて前記荷重付加体（１４）を前進させると共に前記伸縮型部品（３）に荷重付加を行い、前記荷重表示器（３０）により前記荷重付加時の荷重とストロークを表示するように構成したことを特徴とする伸縮型部品の試験装置。
【発明の詳細な説明】
【０００１】
【発明の属する技術分野】
本発明は、伸縮型部品の試験装置に関し、特に、荷重センサとディジタルスケールを設け、伸縮型部品に荷重を付加した場合のストロークと発生荷重の値を同時に計測して表示することができるようにするための新規な改良に関する。
【０００２】
【従来の技術】
従来、用いられていたこの種の伸縮型部品の試験装置としては、例えば、図３及び図４に示される構成を挙げることができる。
すなわち、図３及び図４において符号１で示されるものは基台であり、この基台１上の一端側１ａに設けられた取付部２には通称バンジーと呼称される伸縮自在型の棒状をなす伸縮型部品３が装着されている。
前記基台１上のプッシュプルスケール４には、伸縮型部品３のロッド５が接手１０を介して接続され、この基台１上の他端側１ｂの回転ハンドル手段６のスクリュー軸７が前進してプッシュプルスケール４に当接して押圧するように構成されている。
【０００３】
次に、動作について述べる。まず、前述の構成において、回転ハンドル手段６を用いてスクリュー軸７を回転してプッシュプルスケール４を押圧すると、ロッド５を介して伸縮型部品３が圧縮され、その時の荷重をプッシュプルスケールで計測していた。
【０００４】
【発明が解決しようとする課題】
従来の伸縮型部品の試験装置は、以上のように構成されていたため、次のような課題が存在していた。
すなわち、伸縮型部品のストロークすなわち長さ方向の変位量は自動的に計測することはできず、その都度、手作業で計測せざるを得なかった。
また、ハンドルで回転するスクリュー軸は、ハンドルと直結であるため、スクリュー軸の粗送りのみで、微細な微送りは不可能であった。
【０００５】
本発明は、以上のような課題を解決するためになされたもので、特に、荷重センサとディジタルスケールを設け、伸縮型部品に荷重を付加した場合の長さ方向のストロークと発生荷重の値を同時に計測して表示することができるようにした伸縮型部品の試験装置を提供することを目的とする。
【０００６】
【課題を解決するための手段】
本発明による伸縮型部品の試験装置は、基台上に移動可能に設けられ荷重センサを有する荷重位置決め体と、前記基台上にスクリュー軸によって移動可能に設けられディジタルスケールを有する荷重付加体と、前記基台上に設けられ前記荷重センサからの荷重データを表示する荷重表示器と、前記基台上に設けられ前記スクリュー軸を回転させるための回転ハンドル手段と、前記回転ハンドル手段に設けられ前記スクリュー軸に連動する微送りハンドルと、前記微送りハンドルに連動し前記微送りハンドルよりも大径の粗送りハンドルとを備え、前記荷重位置決め体と荷重付加体との間に伸縮型部品を設置し、前記回転ハンドル手段により前記スクリュー軸を回転させて前記荷重付加体を前進させると共に前記伸縮型部品に荷重付加を行い、前記荷重表示器により前記荷重付加時の荷重とストロークを表示するようにした構成である。
【０００７】
【発明の実施の形態】
以下、図面と共に本発明による伸縮型部品の試験装置の好適な実施の形態について説明する。尚、従来例と同一又は同等部分には同一符号を用いて説明する。図１において符号１で示されるものは基台であり、この基台１の一端側１ａには摺動台１２ａを介して荷重センサ１１を有する荷重位置決め体１２が矢印Ａに沿って往復移動可能に配設されていると共に、複数の固定ボルト１２ｂによって任意の位置で固定できるように構成されている。
すなわち、後述の伸縮型部品３の長さによって荷重位置決め体１２の位置を変えるように構成されている。
【０００８】
前記基台１のほぼ中央位置にはディジタルスケール１３を有すると共に任意のストロークで荷重を付加することができるように構成された荷重付加体１４が設けられ、この荷重付加体１４は基台１上の各支持部２０間に設けられた一対のガイド棒１５、１６を介して矢印Ｂの方向に往復移動自在に案内されて設けられている。
【０００９】
前記ガイド棒１５、１６間には、一対の軸受２０ａ、２０ｂによりスクリュー軸７が回転自在に設けられていると共に、このスクリュー軸７は前記荷重付加体１４に螺合し、このスクリュー軸７の回転によって前記荷重付加体１４がナットと同様の動作により矢印Ｂの方向に沿って往復移動できるように構成されている。
【００１０】
前記ディジタルスケール１３は、前記荷重付加体１４と共に往復移動できるように荷重付加体１４に接続して構成され、前記ガイド棒１６と平行に配設されたスケール１４、２１上を摺動し、そのスケール２１のストローク（長さ）方向の位置（すなわち、ロッド５が接続された荷重付加体１４の位置）をディジタル式に読み取って表示部１３ａで表示することができるように構成されている。
【００１１】
前記基台１の他端側１ｂには、荷重表示器３０及び回転ハンドル手段６が互いに隣接して配設され、この荷重表示器３０は前記ディジタルスケール１３からのストロークの計測結果を表示するように構成されている。
前記回転ハンドル手段６には、互いに噛合する大径の粗送りハンドル６ａと、この粗送りハンドル６ａよりも小径の微送りハンドル６ｂとからなり、この粗送りハンドル６ａを回転させると増速して微送りハンドル６ｂが回転し、この微送りハンドル６ｂは前記スクリュー軸７に設けられた変換歯車６ｃに噛合して回転の送り方向が直交変換されている。
【００１２】
前記粗送りハンドル６ａの回転によってスクリュー軸７を高速回転させて荷重付加体１４を粗送りし、次に、微送りハンドル６ｂを回転させてスクリュー軸７を低速回転させ、荷重付加体１４の微送りを達成することができるように構成されている。
【００１３】
前記荷重位置決め体１２に設けられた接手３１には、被試験部材である伸縮型部品３の一端３ａが接続され、その他端３ｂ側のロッド５は前記荷重付加体１４の接手３２に接続されている。
【００１４】
次に、動作について述べる。まず、図１の一点鎖線のように伸縮型部品３を前記各接手３１、３２間に装着した状態で、回転ハンドル手段６によってスクリュー軸７を回転させると、荷重付加体１４が前進して伸縮型部品３が縮小され、その時の荷重が荷重センサ１１によって計測され、その荷重データが荷重表示器３０に表示される。
【００１５】
また、その時の伸縮型部品３のストローク位置を示すディジタルスケール１３からのストロークは、ディジタルスケール１３の表示部１３ａに表示されると共に荷重表示器３０にて表示される。
尚、この表示部１３ａで表示されるロッド５側のストローク位置は、回転ハンドル手段６によってスクリュー軸７を回転させてストローク設定体１４の位置を変えることにより、任意に変えることができる。
従って、前述の伸縮型部品３のストロークに対する荷重を迅速にかつ正確に試験することができる。
【００１６】
次に、図２で示される構成は、図１で用いた伸縮型部品３とは異なる長さ形状の伸縮型部品３を荷重位置決め体１２と荷重付加体１４との間に装着する場合を示している。
すなわち、前記荷重位置決め体１２を、図２で示されるように、一点鎖線の位置から実線で示される位置に移動させて、図１よりも短尺型の伸縮型部品３を装着している。
尚、荷重試験に要する動作は前述の図１の場合と同一であるため、ここでは省略する。
【００１７】
【発明の効果】
本発明による伸縮型部品の試験装置は、以上のように構成されているため、次のような効果を得ることができる。
すなわち、荷重センサに接続された荷重表示器及びディジタルスケールによって、荷重及びスケールを表示器によって電気的に表示することができ、従来よりも計測作業を大幅に簡略化することができる。
また、回転ハンドル手段として、粗送りと微送りの２個のハンドルが設けられており、ストロークの自在な微送り設定が可能となり、伸縮型部品のきめ細かいストローク設定による荷重試験が可能となる。
【図面の簡単な説明】
【図１】本発明による伸縮型部品の試験装置を示す平面図である。
【図２】図１の伸縮型部品よりも短尺の伸縮型部品を試験するため荷重位置決め体を移動させた状態を示す正面図である。
【図３】従来構成を示す平面図である。
【図４】図３の正面図である。
【符号の説明】
１　　基台
３　　伸縮型部品
６　　回転ハンドル手段
６ａ　　粗送りハンドル
６ｂ　　微送りハンドル
７　　スクリュー軸
１１　　荷重センサ
１２　　荷重位置決め体
１３　　ディジタルスケール
１４　　荷重付加体
３０　　荷重表示器
【図１】
2004028966.tif 000003
【図２】
2004028966.tif 000004
【図３】
2004028966.tif 000005
【図４】
2004028966.tif 000006